(57)【要約】【課題】  使用中の畳は様々な汚れ、分泌物が強固に付着していてそれらは畳への奇麗な着色を妨げる要因となっている。又部分的日焼け、傷等もあり例え着色してもムラが発生したり色の濃淡が見にくく発生する。このように畳は様々な悪条件が重なり、これらの悪条件を全てクリヤーする着色施行技術がなかった。【解決手段】  イグサ表面の固い部分をやさしく研磨する事により汚れや付着した人体からの分泌物を取り除く。又研磨によりイグサ表面をほんのすこし傷つける事により着色料の浸透を促す。この工程後、最適な超微細化された霧、最適な吹きつけ圧力、最適な畳表面からの距離で吹きつける事により傷の部分と無傷の部分にも濃淡の差異なく着色できる。さらに吹きつけ後のアイロンでの熱処理によりイグサの繊維と着色料が強固に結びつき、又熱処理により畳表面が乾くのですぐに使用が可能となる。【選択図】    図２
2005068967.tif 000002
【特許請求の範囲】
【請求項１】
使用中のイグサ畳に使用中の敷いたままで着色する方法としてまず前処理として研磨たわし様なもので畳表面を傷つけない程度の圧力で研磨し、着色料の浸透、付着を妨げる物質を除去する。又本来着色料の浸透付着が困難なイグサの固い表面に微細な傷を付けることで着色料の浸透付着を促進すると言う特徴をもつ施行技術
【請求項２】
前工程終了後エアースプーレーガンをノズル口径０．６ミリ空気使用量３５〜４０リットル／秒、着色料噴出量５〜７ｃｃ／秒、パターン開き２０ミリ程度、吹きつけ空気圧力３Ｋｇ／Ｃｍ２に調整し、超微細な霧にして吹きつけ距離２０〜４５センチ、移動速度３０センチ／秒程度で吹きつけ施行する。このような設定で施行することにより畳の傷のある部分、無傷な部分にも濃淡なく着色が可能となると言う特徴を持つ施行技術。
【発明の詳細な説明】
【発明の詳細な説明】
【技術分野】
【０００１】  本発明は使用中の畳に付着した様々な着色の妨げになる物質を除去し、畳に付いた傷、色ムラがあっても濃淡均一に新品に近い状態の色に戻すという着色の施行技術に関するものである。
【背景技術】
【０００２】  一般的に畳を着色する場合は刷毛、ローラー、吹きつけ機等の道具により着色料を塗ると言う方法で行なわれている。【０００３】  使用中の畳にはその上を歩く度に人体、特に足から分泌される油分が長期に渡り強固に付着している。又汗、様々な汚れ等が付着し着色しても部分的に剥がれたり色落ち、色移りしやすいと言う難点を持っている。【０００４】  畳を自然な状態の様に着色するには厚く着色料を重ねる事は避ける必要がありそのため使用中の畳の色焼けムラがそのまま出てしまう、又畳の傷の部分はイグサの表面の固い部分が脱落しているため特に着色料が入りやすく、その部分だけ濃く着色されて結果的に自然で奇麗な仕上がりにならない。
【発明が解決しようとする課題】
【０００５】  以上のように従来技術で畳を着色しようとすると、剥がれる、色落ちする、色移りする、ムラになる、傷がよけい目立つ、等の重大な欠点があり、とても自然な状態の全体的な奇麗な着色、又早く安く着色すると言う事は不可能であった。
【０００６】  本発明は以上の従来技術による施行方法の難点を解消し、早く安く奇麗に使用中の畳を使用中の敷いたままで着色する施行技術を提供するものである。
【課題を解決するための手段】
【０００７】  以上の施行技術の課題を解決するする施行技術は、まず畳の下地処理から始める。畳には長期に渡る様々な物質が強固に付着している。特に絶えず畳の上を歩く、座る、寝転がる、というような使い方をされるため人体からの分泌物が畳表に付着しその中でも特に足から分泌される油分が着色の大きな妨げになっている。そのためそれらの分泌物を除去するため最初に畳の表面を研磨効果のあるたわし様の物で畳表面を傷つけない程度の力でまんべんに丁寧に研磨し研磨くずを掃除機で吸引する。
【０００８】  上記の工程後、すでに出願済の出願番号２００３−１００９０８の立体型養生板を畳にセットし畳を一枚ずつ吹きつけにより着色する。この吹きつけは超微細な霧にして行なうためエアースプレーガンをノズル口径０．６ミリ、空気使用量３５〜４０リットル／秒、着色料噴出量５〜７ｃｃ／秒、パターン開き２０ミリ程度、吹きつけ圧力３ｋｇ／Ｃｍ２に設定し吹きつけ距離２０〜４５センチ、移動速度３０センチ／秒程度で施行するのが最適である。この吹きつけによる最適施行技術は本来非常に着色しにくいイグサ表面を研磨することにより又超微細化した霧により又最適な吹きつけ圧により傷の部分も無傷の部分も同等の発色が得られると言う施行技術である。
【０００９】  上記の吹きつけ着色後、家庭用アイロンを最高温でスチームは使わずに着色面を畳一枚当たり５分程度のスビードで熱処理する。この熱処理は吹きつけ後３０分以内に行なう。この熱処理をする理由は吹きつけによりばらばらになった着色料の分子を整列させイグサの繊維と強固に結びつけると言う意味と熱処理により着色料で濡れた畳表面を乾かし、すぐに使用できると言う事のためである。
【発明を実施するための最良の形態】
【００１０】  まず研磨タワシ様な物で畳の表面をまんべんに丁寧にイグサを傷付けない程度の力で研磨清掃する。この工程により使用中の畳に付着した着色を妨げる要因となる油分や汚れ等を削り取る事が出来る。研磨終了後研磨屑汚れ屑などを掃除機で吸引する。この工程により着色の妨げになる物質を取り除き又元来着色しにくいイグサ表面の固い皮部分に微細な傷をつけ着色料の浸透及び着色効果を高める事が出来る。【００１１】  上記工程後、畳を一枚ずつ着色するため他の畳、又畳の縁布に着色料が付着しないようにすでに出願済の出願番号２００３−１００９０８の立体養生板で畳一枚を養生する。吹きつけはエアーコンプレッサーを動力として車用の吹きつけに使用する超微細な霧を作れる吹きつけガンを使用し、最適吹きつけ量、最適空気圧、畳表面からの距離２０センチ以上４５センチ以内の距離で吹きつけ作業を行なう。【００１２】  畳一枚の吹きつけ着色が終了後、３０分以内にアイロンを最高温にして畳一枚に付き５分程度のスビードで熱処理を施す。尚アイロン掛けは畳の上にシーツ様の布を敷き、その上から行なう。この熱処理により着色料がイグサ繊維と強固に結びつき、又畳表面が即乾燥するために畳の即時使用が可能となる。
【発明の効果】
【００１３】  以上の説明の通り使用中の畳を使用中の敷いたままで染色すると言う事は従来の技術では多様な畳の状態、多様な悪条件に対応出来なかった。この施行技術手順で施行することによりどんな悪条件の畳にも対応でき奇麗な色に着色が可能となる。
【図面の簡単な説明】
【図１】  （Ａ）（Ｂ）（Ｃ）はそれぞれこて刷毛、ローラー、電動エアーレススプレーで着色した図であり、いずれも傷の部分に着色料が濃く入っていると言う事の証明である。
【図２】  本発明の吹きつけ施行の実施例であり（Ａ）はこの実証に使用したコンプレッサーである。（Ｂ）はこの実証に使用したエアースプレーガンでの吹きつけの様子である。（Ｃ）は従来の方法で施行した畳と本発明の施行技術で施行した畳の比較であり左の本発明の施行技術での施行においては傷の部分も無傷の部分も同等に発色すると言う証明である。
【符号の説明】
１、こて刷毛
２、ローラー
３、電動エアレススプレーガン
４、コンプレッサー
５、重力式エアースプレーガン
６、新施行技術での吹きつけ着色後の仕上がり
７、従来施行技術での吹きつけ着色後の仕上がり
８、着色後の畳表面
９、着色前の畳表面
【図１】
2005068967.tif 000003
【図２】
2005068967.tif 000004